(57)【要約】【課題】ユーザのヘルスケアを支援するために、体重や体温などの健康の指標を自動的に記録することができるヘルスケアサニタリールームを提供する。【解決手段】鏡１２を備える洗面化粧台１４が設置された洗面室からなるサニタリールーム１０であって、鏡１２の裏側から鏡１２の前側に居るユーザＰを撮影する撮影手段２０と、撮影手段２０による撮影画像に対する顔認識処理によってユーザＰを特定するユーザ特定手段３０と、ユーザＰの体重と体温を含む生体データを測定する生体データ測定手段４０と、生体データ測定手段４０により測定した生体データを記憶する記憶手段５０と、ヘルスケアに関する情報を表示する情報表示手段６０と、記憶手段５０に記憶された生体データを外部に送信可能で、外部からの情報を受信可能な送受信手段７０とを備えるようにする。【選択図】図１
2012130520.tif 000002
【特許請求の範囲】
【請求項１】
鏡を備える洗面化粧台が設置された洗面室からなり、前記洗面化粧台を利用するユーザのヘルスケアを支援する機能を有するサニタリールームであって、
前記鏡の裏側から前記鏡の前側に居るユーザを撮影する撮影手段と、前記撮影手段による撮影画像に対する顔認識処理によってユーザを特定するユーザ特定手段と、ユーザの体重と体温を含む生体データを測定する生体データ測定手段と、前記生体データ測定手段により測定した生体データを記憶する記憶手段と、前記生体データに基づくユーザのヘルスケアに関する情報を表示する情報表示手段と、前記記憶手段に記憶された前記生体データを外部に送信可能で、外部からの情報を受信可能な送受信手段とを備えることを特徴とするヘルスケアサニタリールーム。
【請求項２】
前記送受信手段を介して外部から送られてくるユーザのヘルスケアに関する情報を前記情報表示手段に表示するようにしたことを特徴とする請求項１に記載のヘルスケアサニタリールーム。
【発明の詳細な説明】
【技術分野】
【０００１】
本発明は、普段の生活の中で特に意識することなく、体温や体重などの生体データを自動的に記録することができるようにしたヘルスケアサニタリールームに関するものである。
【背景技術】
【０００２】
近年、高齢化社会を迎えた日本において、人々の健康に対する関心は様々な場面でニーズとして表れている。健康で日々健やかに暮らしたいと願う一方で、面倒な作業やエクササイズはなかなか長続きしにくいものでもある。
【０００３】
このような健康行動に動機付けを与える良い方法として、日々の健康状態を知らせることが有効であると言われている。その一例として、日々の体重の変化を記録して見せるだけでダイエット法として効果があるとの報告がある。これは、体重の変化状態を見ることで、良い方向に行けば脳が喜び、悪い方向に行けば脳が警戒するという心理を応用したものである。こうしたダイエット法に関する従来の技術として、例えば特許文献１〜３の技術が知られている。
【０００４】
しかしながら、たかが体重だけとはいえ、毎日記録を行うというのはこれも作業として継続しがたいものである。変化がすぐに現れれば、上記心理の応用として継続への負担は減るが、逆に、変化がない、悪い方向に行ってしまったなどの場合、往々にしてそのまま記録も止めてしまいがちである。
【０００５】
このような問題を解決するために、記録作業を自動的に行う装置の開発が進められている（例えば、特許文献４および５参照）。普段の生活の行動の中で無理なく体重、体温などの健康の指標（以下、「生体データ」ともいう。）が記録できれば、その記録情報を元に、上記のダイエットなどのほかに健康アドバイスなどのサービスへの展開も考えることができる。健康の指標を記録することを家族のいる家庭で行う場合には、個人ごとに記録を行う必要がある。記録の際に個人ごとに申告してもらう方法もあるが、可能であれば、自動的に個人を特定した上で、健康の指標が記録されることが望ましい。
【先行技術文献】
【特許文献】
【０００６】
【特許文献１】特開２００５−３５１８３０号公報
【特許文献２】特開２００８−１６８６１４号公報
【特許文献３】特開２０１０−１２２７１８号公報
【特許文献４】特開平１１−１９７１１６号公報
【特許文献５】特開２００６−２９６４８１号公報
【発明の概要】
【発明が解決しようとする課題】
【０００７】
ところで、上記の健康の指標を、洗面所（サニタリールーム）のような毎日使用する環境で自動的に記録することができれば、普段の生活の中で特に意識することがないので好都合である。このため、ユーザのヘルスケアを支援するために、健康の指標を自動的に記録することができるサニタリールームの開発が求められていた。
【０００８】
本発明は、上記に鑑みてなされたものであって、ユーザのヘルスケアを支援するために、体重や体温などの健康の指標を自動的に記録することができるヘルスケアサニタリールームを提供することを目的とする。
【課題を解決するための手段】
【０００９】
上記した課題を解決し、目的を達成するために、本発明の請求項１に係るヘルスケアサニタリールームは、鏡を備える洗面化粧台が設置された洗面室からなり、前記洗面化粧台を利用するユーザのヘルスケアを支援する機能を有するサニタリールームであって、前記鏡の裏側から前記鏡の前側に居るユーザを撮影する撮影手段と、前記撮影手段による撮影画像に対する顔認識処理によってユーザを特定するユーザ特定手段と、ユーザの体重と体温を含む生体データを測定する生体データ測定手段と、前記生体データ測定手段により測定した生体データを記憶する記憶手段と、前記生体データに基づくユーザのヘルスケアに関する情報を表示する情報表示手段と、前記記憶手段に記憶された前記生体データを外部に送信可能で、外部からの情報を受信可能な送受信手段とを備えることを特徴とする。
【００１０】
また、本発明の請求項２に係るヘルスケアサニタリールームは、上述した請求項１において、前記送受信手段を介して外部から送られてくるユーザのヘルスケアに関する情報を前記情報表示手段に表示するようにしたことを特徴とする。
【発明の効果】
【００１１】
本発明によれば、鏡を備える洗面化粧台が設置された洗面室からなり、前記洗面化粧台を利用するユーザのヘルスケアを支援する機能を有するサニタリールームであって、前記鏡の裏側から前記鏡の前側に居るユーザを撮影する撮影手段と、前記撮影手段による撮影画像に対する顔認識処理によってユーザを特定するユーザ特定手段と、ユーザの体重と体温を含む生体データを測定する生体データ測定手段と、前記生体データ測定手段により測定した生体データを記憶する記憶手段と、前記生体データに基づくユーザのヘルスケアに関する情報を表示する情報表示手段と、前記記憶手段に記憶された前記生体データを外部に送信可能で、外部からの情報を受信可能な送受信手段とを備えるので、ユーザは普段の生活の中で特に意識することなく、体重や体温などの自身の健康の指標（生体データ）を自動的に記録することができるという効果を奏する。
【図面の簡単な説明】
【００１２】
【図１】図１は、本発明に係るヘルスケアサニタリールームの実施例を示す図である。
【図２】図２は、本発明に係るヘルスケアサニタリールームの概略ブロック図である。
【図３】図３は、本発明に係るヘルスケアサニタリールームの利用例の概念を示す図である。
【発明を実施するための形態】
【００１３】
サニタリールームは、通常の生活を営む限り人がほぼ毎日使用する設備であり、特に、洗面化粧台は基本的に一人が一定時間占有して使うことが多い。そのため、個人ごとの情報を収集するには理想的な場所といえる。本発明は、この場所において下記の機能を実装することで、健康維持のために必要な情報（ヘルスケアに関する情報）を自動的に記録・収集するものである。
【００１４】
以下に、本発明に係るヘルスケアサニタリールームの実施の形態を図面に基づいて詳細に説明する。なお、この実施例によりこの発明が限定されるものではない。
【００１５】
図１および図２に示すように、本発明に係るヘルスケアサニタリールーム１０は、鏡１２を備える洗面化粧台１４が設置された洗面室からなり、洗面化粧台１４を利用するユーザＰのヘルスケアを支援する機能を有するサニタリールームである。
【００１６】
このヘルスケアサニタリールーム１０は、撮影手段２０と、ユーザ特定手段３０と、生体データ測定手段４０と、記憶手段５０と、情報表示手段６０と、送受信手段７０とを備えている。
【００１７】
撮影手段２０は、鏡１２の裏側から鏡１２の前側に居るユーザＰを撮影するカメラにより構成することができる。鏡１２はハーフミラー等の透光性の鏡を用いることができる。ユーザ特定手段３０は、撮影手段２０による撮影画像に対する顔認識処理によってユーザＰを特定するためのものである。生体データ測定手段４０は、ユーザＰの体重と体温を含む健康の指標（生体データ）を測定するためのものであり、放射温度計１６や体重計（図示せず）などから構成される。
【００１８】
記憶手段５０は、生体データ測定手段４０により測定した生体データを記憶するデータベースにより構成することができる。情報表示手段６０は、ユーザＰの生体データやこれに基づくヘルスケアに関する情報を表示するためのものであり、洗面化粧台１４に設けたディスプレイなどから構成することができる。送受信手段７０は、記憶手段５０に記憶された生体データを、ネットワークを介してサニタリールームの外部に送信可能で、かつ、この外部からの情報を受信可能に構成されるものである。
【００１９】
次に、上記構成の動作について説明する。まず、鏡１２の裏側の撮影手段２０によって鏡１２の前側に居るユーザＰが撮影される。この撮影画像に対するユーザ特定手段３０の顔認識処理によってユーザ個人が特定される。最近の顔認識処理による個人認証は正答率が高く、家族などの利用においても正確な判定が期待できる。鏡に顔を向けるのも自然な行為なので認証にも向いている。
【００２０】
ユーザ個人の特定の際に顔の位置を特定できるので、鏡１２の近傍に設けた放射温度計１６によってその位置でのユーザＰからの放射温度を計測することにより、体温が測定される。ただし、ここで測定される体温は体表面温度であり、医学上の体温ではないため直接医療・診察行為には使用できないが、スクリーニング用途であれば十分活用できるものである。
【００２１】
一方、洗面化粧台１４の床に設置した体重計（図示せず）によってユーザＰの体重が測定される。ここで、体重と同時に体脂肪率や心拍などを測定するようにしてもよい。この場合には、体脂肪率や心拍などを同時測定する機能が備わる市販の高機能体重計を利用することができる。
【００２２】
こうして測定された体重や体温などの生体データは、ユーザ（家族を構成する各人）が洗面化粧台１４を使用する毎に（毎日）、各人それぞれの情報として自動的に記憶手段５０に記録される。
【００２３】
このように、本発明によれば、ユーザは普段の生活の中で特に意識することなく、自身の健康の指標を毎日自動的に記録することができる。これにより、ユーザの健康状態を判断するための基本情報（生体データ）を収集・蓄積することができる。
【００２４】
記憶手段５０に収集・蓄積された生体データは、トレンドグラフなどに加工処理されて情報表示手段６０（ディスプレイ）に表示することができる。これにより、上述のダイエット法に例示したような健康管理への動機付けを自然に導くことが可能になる。
【００２５】
ここで、情報表示手段６０の構成としては、洗面化粧台１４に設けたディスプレイを用いる他に、鏡１２にディスプレイを内蔵させて鏡面に情報を表示させる方式や、居室に設けたパーソナルコンピュータのディスプレイに情報を表示させる方式、あるいはこれらを併用した方式を用いることができる。
【００２６】
また、記憶手段５０に収集・蓄積された生体データは、送受信手段７０によってインターネットやＬＡＮなどのネットワーク経由での参照や分析が可能である。このため、生体データを外部の健康サービスセンターなどに送信することで、このセンターから送られてくる健康アドバイスなどのユーザＰのヘルスケアに関する情報を情報表示手段６０に表示することも可能である。
【００２７】
例えば、図３に示すように、家庭内のお父さん、お母さん、お爺ちゃん、お婆ちゃん、子供たちそれぞれ（ユーザＰ）について記録された生体データを分析して外部の健康サービスセンターなどで作成された健康アドバイスや分析結果を情報表示手段６０に表示することが可能である。このように、ユーザＰは情報表示手段６０を通じてその健康管理効果を随時確認することができ、特別な作業をせずに健康管理の意識を高めることができる。
【００２８】
また、こうした健康アドバイスサービスに加えて他の様々なサービスをヘルスケアサニタリールームなどにおいて享受することも可能である。例えば、外気温や湿度を取得しておき、体重の変化や外気温・湿度の変化あるいは天気予報の傾向などを参考にして、いわば健康予報的な体調予測やこの予測に基づいたユーザへのアドバイスを情報表示手段６０に表示するようにしてもよい。さらに、ネットワーク経由での例えば占いなどの娯楽コンテンツを複合的に組み合わせた内容を表示することで、ユーザの興味を喚起し、利用継続の維持を図るようにようにしてもよい。
【００２９】
健康的側面だけではなく、美容的側面でのアドバイスとして顔色の評価や肌荒れ状態を顔の画像から評価するようにしてもよい。また、二重等の判断から疲労度の判断まで加えることができる。
【００３０】
以上説明したように、本発明によれば、鏡を備える洗面化粧台が設置された洗面室からなり、前記洗面化粧台を利用するユーザのヘルスケアを支援する機能を有するサニタリールームであって、前記鏡の裏側から前記鏡の前側に居るユーザを撮影する撮影手段と、前記撮影手段による撮影画像に対する顔認識処理によってユーザを特定するユーザ特定手段と、ユーザの体重と体温を含む生体データを測定する生体データ測定手段と、前記生体データ測定手段により測定した生体データを記憶する記憶手段と、前記生体データに基づくユーザのヘルスケアに関する情報を表示する情報表示手段と、前記記憶手段に記憶された前記生体データを外部に送信可能で、外部からの情報を受信可能な送受信手段とを備えるので、ユーザは普段の生活の中で特に意識することなく、体重や体温などの自身の健康の指標（生体データ）を自動的に記録することができる。
【産業上の利用可能性】
【００３１】
以上のように、本発明に係るヘルスケアサニタリールームは、体重や体温などの健康の指標（生体データ）を自動的に記録するのに有用であり、特に、普段の生活の中で特に意識することなく記録するのに適している。
【符号の説明】
【００３２】
１０  ヘルスケアサニタリールーム
１２  鏡
１４  洗面化粧台
２０  撮影手段
３０  ユーザ特定手段
４０  生体データ測定手段
５０  記憶手段
６０  情報表示手段
７０  送受信手段
【図１】
2012130520.tif 000003
【図２】
2012130520.tif 000004
【図３】
2012130520.tif 000005